(57)【要約】      （修正有）【課題】商品パンフレット・カタログ・商品包装物・取扱説明書等の名刺付商業印刷物を提供する。【解決手段】商品パンフレット等商業印刷物の一部に、名刺規格の形状に切取り可能な切取り線を形成するとともに、該切取り可能部内に名刺に記載すべき事項を印刷して構成する。【選択図】図１
0003113962.tif 000002
【実用新案登録請求の範囲】
【請求項１】
印刷物の一部に名刺規格の形状に切取り可能な切取り線を形成するとともに、該切取り可能部内に名刺に記載すべき事項を印刷したことを特徴とする名刺付商品パンフレット等商業印刷物。
【請求項２】
切取り可能部内の両面又は片面に名刺に記載すべき事項を印刷したことを特徴とする請求項１記載の名刺付商品パンフレット等商業印刷物。
【請求項３】
切取り可能部内の一面に社名、部署名、役職名、氏名、住所、電話番号、ファックス番号、メールアドレス、郵便番号などから選択した事項を印刷し、他面に取扱商品、商品特徴、取扱役務、役務特徴などから選択した事項を印刷したことを特徴とする請求項２記載の名刺付商品パンフレット等商業印刷物。
【考案の詳細な説明】
【技術分野】
【０００１】
本考案は、例えば、商品パンフレット・カタログ・商品包装物・取扱説明書等の商業印刷物に関するものである。
【背景技術】
【０００２】
各種の商品やサービスの展示会や見本市が盛んに行われているが、それら会場では多くの出品各社の大小のブースが設けられ、それぞれ来場者の各ブースへの立ち寄りを競い合っている。
【０００３】
これらブースでは、各社の商品見本、商品モデルの実演、商品説明用パネル等が展示され、ブース来訪者に対し説明要員や営業マンが張り付いて、商品等の説明や宣伝を行うと共に、場合によってはその場で商談を行い、成約にまて進行させることもある。しかし、一般には来場者の多くは、先ず取り敢えず、会場に設けられた主だった複数のブースをできるだけ巡回し、複数の出品各社の商品等に関する情報をできるだけ多く入手しようとする。
【０００４】
そして、一部の来場者は、会場の休憩所等で一休みしながら、それらの得られた情報を比較検討を行い、その中から選択した出品者のブースを再訪問し、更に突っ込んだ情報入手を行ったり、そのまま商談にまで及ぶ場合もある。
【０００５】
しかし、多くの場合は、来場者は、複数の出品者の商品等に関する情報を自社に持ち帰って比較検討し、関係者も交えて意見調整した上で、そのなかから選択した商品の出品者に対し後日改めてアプローチしているようである。
【０００６】
さて、出品各社のブースでは、各種の商品パンフレットや商品見本等を多数用意しているのが普通であり、ブース来訪者に対しこれら商品パンフレットや商品見本等を配布して、自社商品の説明、宣伝を行うとともに、それらの商品パンフレット等の持ち帰りを促している。そして、同時に出品各社の営業マンとブース来訪者と間で、名刺の交換も行われるのが普通である。
【０００７】
また、一社のブースにおいて、複数の商品やサービスを扱っているのが普通であり、それぞれの商品やサービスについて別々のパンフレット等を配布するとともに、それぞれ別々の担当営業マンが応接に当たることも多い。
【０００８】
このようにして、来場者は、出品各社の商品パンフレット等とその担当営業マンの名刺を多数持ち帰ることになるが、商品パンフレット等と名刺を未整理状態で持ち帰ることが多いため、帰着後のパンフレット等の整理、特に商品パンフレット等とその担当営業マンの名刺の突き合わせが大変であり、また名刺は小さいために散逸や紛失してしまって、再びアプローチしたいと考える商品の担当者と連絡をとることが困難になる場合がある。
【０００９】
そのような事態になるのを防止するため、出品者が、商品パンフレット等の片隅に担当営業マンの名刺をピン等で仮止めしたり、貼り付けたりしたものを用意して、それを配布している例も見られる。
【００１０】
また、社用封筒に担当営業マンの名刺をピン等で仮止めしたり、貼り付けたりしたものを用意して置き、これに商品パンフレット等を入れて配布する例も見られる。しかしながら、多数の商品パンフレット等にこれを施す作業が大変であり、また外観上の体裁も良くない。
【００１１】
また、商品パンフレット等にポケットの役割をするの折り込み部を形成しておき、そこに名刺を挟んで配布する例もあるが、これも経費と手間がかかるという難点が免れない。
【００１２】
そこで、そのように展示会や見本市から帰着後に、商品パンフレット等と担当者の名刺の不突き合いや散逸等が発生することを防止するのに役立ち、かつ配布も容易であると思われる手段が提案されている（例えば、特許文献１）。
【特許文献１】特開２００４−１６７７４９号公報
【考案の開示】
【考案が解決しようとする課題】
【００１３】
特許文献１は、「パンフレット兼用名刺」に係るものである。
【００１４】
このパンフレット兼用名刺は、名刺と縦横の規格寸法を同じくする長方形のシートを、複数枚綴じ込んだ小冊子の如く形成される。
【００１５】
各シートの綴じ方は、各シートがその背側端部において溶着ないし接着されることによって背部で固定する方式である。
【００１６】
一方、この背側の溶着ないし接着による綴じ込み手段とは他に、小冊子の各ぺージを開いた後も再剥離可能に繰り返し粘着することができる剥離粘着手段が、各シートの背部以外の箇所、即ち各シートの背部の反対の側方、上方及び下方等に設けられる。
【００１７】
小冊子の表紙に当たる最初のぺージは、通常の名刺として使用され、社名・部課・役職・氏名・会社所在地・電話番号・その他が印刷される。その他のページは、商品パンフレットとして使用される。
【００１８】
上記の剥離粘着手段が設けられているので、各シートを剥離することによってパンフレットのページを開いて、容易にパンフレット部分を見ることができ、次にページを閉じると、各シートは再び粘着して一つにまとまるので、他の名刺と同様に扱え、名刺入れや名刺保管ケースに入れて収納することができるので、便利であるというものである。また、パンフレット兼用名刺であるから、当然のことながら、名刺とパンフレットが相互にバラバラに散逸することがないので、整理上有効であるという。
【００１９】
しかしながら、このパンフレット兼用名刺は、名刺としての機能、又はパンフレットとしての機能をそれぞれについて見ると、いずれも限界や難点を感じざるを得ない。
【００２０】
先ず、名刺としての機能から検討すると、パンフレット兼用名刺は、厚みが嵩張るため名刺の差出人としての営業担当者が、一つの名刺入れにこれを多数入れることが困難であり、通常なら一つの名刺入れで済むところ、別途、追加的な名刺入れを携行する必要があるということである。また、一度の外出や出張で携帯できる名刺の数量が、どうしても限られざるを得ない。
【００２１】
また、名刺の受け手側からは、パンフレット兼用名刺は相当嵩高に感じられ、保管効率上の配慮から名刺保管ケースに収納して保管することに難色を示し、結局破棄されてしまうおそれがないとは言えない。
【００２２】
次に、パンフレットとして検討すると、特にパンフレットの受取人側からは、パンフレット兼用名刺はパンフレットの規格寸法としては小さ過ぎて、このためパンフレット部分の記載内容が不十分になりがちで、得られる商品情報が少なかったり、またパンフレットに記載される文字・数字・写真・図表等の表示が小さくならざるを得ないので、その読み取りに苦しむこと等である。
【００２３】
本考案は、以上のような問題点を解消するためになされたものであって、その目的とするところは、名刺とパンフレット等商業印刷物が相互にバラバラに散逸することがなく、一つにまとまっている上に、名刺としては、嵩張らずに取扱い易くて保管効率の良いものが得られ、しかもパンフレット等商業印刷物としては、充分の規格寸法を有して記載内容も豊富に盛り込むことができ、かつ読み取りやすい大きさの表示が可能なものが得られるという商品パンフレット等商業印刷物を提供することにある。
【課題を解決するための手段】
【００２４】
本考案は、このような目的を達成するため、次のように構成されている。
【００２５】
請求項１に記載の本考案の名刺付商品パンフレット等商業印刷物は、印刷物の一部に名刺規格の形状に切取り可能な切取り線を形成するとともに、該切取り可能部内に名刺に記載すべき事項を印刷して構成されている。
【００２６】
請求項２に記載の本考案の名刺付商品パンフレット等商業印刷物は、切取り可能部内の両面又は片面に名刺に記載すべき事項を印刷して構成されている。
【００２７】
請求項３請求項２に記載の本考案の名刺付商品パンフレット等商業印刷物は、切取り可能部内の一面に社名、役職、氏名、住所、電話番号、ファックス番号、メールアドレス、郵便番号などから選択した事項を印刷し、他面に取扱商品、商品特徴、取扱役務、役務特徴などから選択した事項を印刷して構成されている。
【考案の効果】
【００２８】
上記のように、請求項１に記載の本考案の名刺付商品パンフレット等商業印刷物は、印刷物の一部に名刺規格の形状に切取り可能な切取り線を形成するとともに、該切取り可能部内に名刺に記載すべき事項を印刷して構成されているため、名刺とパンフレット等商業印刷物が相互にバラバラに散逸することがなく、一つにまとまっている上に、名刺としては、嵩張らずに取扱い易くて保管効率の良いものが得られ、しかもパンフレット等商業印刷物としては、充分の規格寸法を有して記載内容も豊富に盛り込むことができ、かつ読み取りやすい大きさの表示が可能なものが得られるという名刺付商品パンフレット等商業印刷物をを得ることができる。また、顧客に名刺の部分を切取り保管してもらうことで直接渡す手間を省き、不特定多数の人に一度にＰＲすることができ、かつ効果的な印象を与える訴求効果がある。
【００２９】
また、請求項２に記載の本考案の名刺付商品パンフレット等商業印刷物は、切取り可能部内の両面又は片面に名刺に記載すべき事項を印刷して構成されているので、訴求したいことを充分表現できる。
【００３０】
更に、請求項３に記載の本考案の本考案の名刺付商品パンフレット等商業印刷物は、切取り可能部内の一面に社名、部署名、役職名、氏名、住所、電話番号、ファックス番号、メールアドレス、郵便番号などから選択した事項を印刷し、他面に取扱商品、商品特徴、取扱役務、役務特徴などから選択した事項を印刷して構成されているので、切取り可能部は切取り後には完全な名刺としての体裁と機能を有することができる。
【考案を実施するための最良の形態】
【００３１】
以下、本考案の名刺付商品パンフレット等商業印刷物を、実施の形態を図面を用いて説明する。
【００３２】
この商品パンフレット１は、図１に示すように、複数頁の綴じられた紙からなり、その１つの頁の一部に長方形の名刺規格大に切取り可能な切取り線２を形成するとともに、該切取り可能部３内に名刺に記載すべき事項４を印刷して構成されている。
【００３３】
この切取り線２は、点線、直線、ミシン目線のいずれでも可能である。
【００３４】
切取り可能部３の図１に示した面を表面として、この面に社名、部署名、役職名、氏名、住所、電話番号、ファックス番号、メールアドレス、郵便番号などから選択した事項を印刷し、この裏面に取扱商品、商品特徴、取扱役務、役務特徴などから選択した事項を印刷することができる。
【００３５】
図２に示した商品パンフレット１では、切取り可能部３Ａを頁の隅に形成して、切取り線２を省略しているので、顧客が切り取る手間を省く効果がある。
【００３６】
図３に示した商品パンフレット１では、切取り可能部３Ｂを頁の端部に切取り線２を介して突出するように形成して、切取り線２を更に省略しているので、一層顧客が切り取る手間を省く効果がある。
【００３７】
また、これらの例では、切取り可能部３，３Ａ又は３Ｂを横長に形成しているが、縦長に形成することも可能である。
【００３８】
また、これらの例では、商品パンフレット１に一箇所の切取り可能部３，３Ａ又は３Ｂを形成しているが、総合カタログの場合などは、複数の商品又は役務が記載され頁数も多くなるので、頁毎にそこに記載された商品又は役務を担当する部署、担当者用の名刺としての切取り可能部を形成することができ、１冊の総合カタログで複数の切取り可能部３，３Ａ又は３Ｂを形成することが可能である。
【００３９】
また、上記の例では、名刺規格としたが、印刷物の大きさ・素材などにより、大きさが異なる場合がある。
【００４０】
また、長方形以外の形状、例えば、正方形、菱形、円形等の目立つ形状又は奇抜な形状に形成して、強い印象や訴求効果を出すこともできる。
【００４１】
更に、本考案の名刺付商品パンフレット等商業印刷物としては、商品パンフレット・カタログの他、広範囲に、取扱説明書・保証書、商品の包装箱・包装紙、封筒、葉書、雑誌、ノートなどがあげられる。
【００４２】
この内、商品が装置・機器類の場合、取扱説明書・保証書、商品の包装箱・包装紙などの切取り可能部３，３Ａ又は３Ｂを切取り後、名刺保管ケースに保管する他、その装置・機器類に直接張り付けて置くと、装置・機器類を使用中に、製造者や代理店等のメンテナンスを要請する必要が生じた際、連絡するのに極めて便利である。
【００４３】
なお、本考案の名刺付商品パンフレット等商業印刷物は、展示会や見本市以外に、相手先別に、ダイレクトメールで郵送するパンフレットや案内状、又は郵送する封筒や葉書自体にも適用でき、商品等の宣伝と担当者個人の売り込みの効果をあげることができ、また相手先における名刺の紛失を避け、必要に応じて保存して貰うのに便利である。
【図面の簡単な説明】
【００４４】
【図１】本考案の名刺付商品パンフレットの説明図である。
【図２】本考案のその他の形態の名刺付商品パンフレットの説明図である。
【図３】本考案の更なる他の形態の名刺付商品パンフレットの説明図である。
【符号の説明】
【００４５】
１    商品パンフレット
２    切取り線
３（Ａ，Ｂ）    切取り可能部
４    記載事項
【図１】
0003113962.tif 000003
【図２】
0003113962.tif 000004
【図３】
0003113962.tif 000005